(57)【要約】【課題】  組織に線状切断を生じさせるためのカテーテルを提供する。【解決手段】  組織に線状切断を生じさせるべく構成かつ配置されたカテーテルであって：線状切断ヘッド(14)と；ワイヤーループ(22)を有する係留部材と；を有して、前記係留部材は、前記線状切断ヘッドの一部を係留して一つの構造物となるように前記線状切断ヘッドと結合されて、前記線状切断ヘッドの残りの部分が、前記組織の上に線状切断を形成するように位置決めされる。構造体にカテーテルの線状切断ヘッドの一部を係止するための係留部材が備えられている。この構造体は低温にできるように係留されたポイントカテーテルであり、これにより外科医が線状カテーテルを心腔に対しより正確に配置させることが可能となり、滑り易く不規則な心腔壁面の悪影響を克服することができる。【選択図】図５
2011206569.tif 000002
【特許請求の範囲】
【請求項１】
組織に線状切断を生じさせるべく構成かつ配置されたカテーテルであって：
線状切断ヘッド(14)と；
ワイヤーループ(22)を有する係留部材と；を有して、
前記係留部材は、前記線状切断ヘッドの一部を係留して一つの構造物となるように前記線状切断ヘッドと結合されて、前記線状切断ヘッドの残りの部分が、前記組織の上に線状切断を形成するように位置決めされるカテーテル。
【請求項２】
前記係留部材(22)は、前記線状切断ヘッド(14)の末端と結合されている請求項１記載のカテーテル。
【請求項３】
前記ワイヤーループ(22)は、ループ制御ワイヤー(20)を用いて、遠隔制御により調整自在である請求項１又は２記載のカテーテル。
【請求項４】
前記制御ワイヤー(20)は、前記線状切断部の長さに沿って、案内路(18)を介して経由している請求項３記載のカテーテル。
【請求項５】
前記案内路(18)は、前記線状切断部の中心に沿って形成されている請求項４記載のカテーテル。
【請求項６】
前記案内路は、前記線状切断部の外側に沿って形成されている請求項４記載のカテーテル。
【請求項７】
前記ワイヤーループ(22)は、前記ワイヤーループ(22)の可能な最小径を設定するループ径レストリクターを有する請求項１から６のいずれかの請求項記載のカテーテル。
【請求項８】
前記線状切断ヘッドを囲み、前記線状切断ヘッドから引き込み可能なシースを更に有する請求項１から７のいずれかの請求項記載のカテーテル。
【請求項９】
前記シース(16)の外径は、前記ワイヤーループ(22)の最小径よりも大きく、該ワイヤーループ(22)が前記低温カテーテルから滑り落ちないようにしている請求項８記載のカテーテル。
【発明の詳細な説明】
【技術分野】
【０００１】
本発明は、カテーテル、カテーテルを含む装置およびカテーテルの使用方法に関する。より具体的には、本発明は特に心臓内の組織切断（アブレーション）に使用されるカテーテルシステムに適用することができる。
【背景技術】
【０００２】
侵襲性を少なくした外科技法を用いた多くの医療処置が行われており、この場合、１又はそれ以上の細長い器具が１又はそれ以上の小さな切開部を介して体内に挿入される。切断に関しては、その外科器具として、切断されるべき組織（生体組織、以下同様）近傍に配置される硬質又は可撓性構造体先端又はその近傍に切断装置を備えたものが用いられる。この切断装置は高周波エネルギー、マイクロ波エネルギー、レーザーエネルギー、極熱、極寒などを利用し、組織を電気的に不活性化するものである。
【０００３】
心臓手術について述べると、心房細動又は限局性心房頻拍などの心臓不整脈は心臓組織の選択的切断を介して不整脈源を除去ないし隔離させることにより治療することができる。ポピュラーな最小侵襲処置である高周波（ＲＦ）カテーテル切断では、しばしば心電図記録マッピング（地図作成）の予備的段階が行われ、続いて、ＲＦエネルギーを用いた心臓組織内の１又はそれ以上の切断部位（損傷）の形成が行われる。心房細動切断の場合、良好な結果を得るために、多数の損傷が必要となる。すなわち、良好な結果を得るためにしばしば５箇所の損傷、時には６０箇所もの多くの損傷が必要となる。
【０００４】
高周波切断装置およびその技法の欠点は、特許文献１、特許文献２および特許文献３に教示されているように、損傷を形成する前に冷凍を用い、零度又はアイスマッピング（例えば、−２０℃で）を形成することにより克服することができる。しかし、低温マッピングと、切断装置との組合せにより、ＲＦ装置およびその技法と比較して確実性が高められ、組織損傷がより少なくて済むが、この低温およびＲＦ装置は、スポット又は略円形の組織切断を形成するよう構成されている。
【０００５】
スポット組織切断は或る種の処置については許容される。しかし、他の処置については、所定のラインに沿っての多重スポット損傷、又は単一の長尺又は線損傷を単一の切断過程で生じさせることにより、より有効な治療効果が得られるであろう。高周波切断装置は、活性化させながら切断尖端を線に沿って引きずらせることにより線状切断を生じさせることができることが知られている。
【０００６】
特許文献４、特許文献５および特許文献６には、それぞれ線状切断に適したカテーテルが開示されている。しかし、これらのカテーテルは使用に際して外科医に実用的な困難を感じさせるものである。より具体的には、心臓の内壁チャンバー、例えば心房壁面が不規則であって、すべすべし、そのため、外科医にとって、線状カテーテルを所望の部位に安定に配置させ、かつ、効果的連続切断ラインを生じさせるのに必要な十分な時間に亘ってカテーテル／組織表面の十分な接触を維持させようとする場合に問題が生じる。
【０００７】
不規則な表面の切断に、より適するように設計されたカテーテルが特許文献７に開示されている。しかし、このカテーテルでも、組織壁面の変形し易い性質のため、所定位置に安定、かつ、正確に配置させることが困難である。
【０００８】
特許文献８、特許文献９および特許文献１０には、それぞれ肺静脈などの心臓血管オリフィス内に構造物を係留させるため、膨張性バルーンを使用することが提案されている。このような装置は、静脈が存在するところの選択された僅かな位置にのみその構造物を係留させることしかできないという欠点を有する。そのため、外科医にとって、例えば、静脈内の係留点から遠く離れた部位で選択的に切断を行うことが非常に困難となる。
【先行技術文献】
【特許文献】
【０００９】
【特許文献１】米国特許第５,４２３,８０７号
【特許文献２】米国特許第５,２８１,２１３号
【特許文献３】米国特許第５,２８１,２１５号
【特許文献４】国際公開（ＷＯ）第００／３２１２６号
【特許文献５】国際公開（ＷＯ）第９８／３７８２２号
【特許文献６】欧州特許出願公開（ＥＰ）第１，１２９，６７０号
【特許文献７】国際公開（ＷＯ）第９９／５２４５５号
【特許文献８】米国特許第６,５９５,９８９号
【特許文献９】米国特許第２００３／０２０４１８７号
【特許文献１０】米国特許第２００４／００３４３４７号
【特許文献１１】国際公開（ＷＯ）第９５／１９７３８号
【発明の概要】
【発明が解決しようとする課題】
【００１０】
組織壁面（例えば、心筋壁面）に対し線状切断装置を押圧し、その所定位置から装置を滑らすことなく、線状切断装置の全有効長さに沿う全ての点で良好な接触を確保することができる装置を提供することは有益なことであろう。更に、外科医が選択する組織の任意の部位にて、選択された切断を容易、かつ、迅速に行うことができるように、外科医に対し、線状切断装置の位置決めについて高い自由度が与えられるような装置を提供することは有益なことであろう。
【課題を解決するための手段】
【００１１】
本発明は組織に線状切断を生じさせるためのカテーテルであって、この組織との関係でカテーテルを安定に位置決めするのに役立つ係留部材を備えたものを提供するものである。
【００１２】
具体例として、組織に線状切断を生じさせるべく構築、配置されたカテーテルであって、アイスボールの形成を介して組織との関係で安定に位置決めすることができる低温カテーテルと；線状切断を生じさせるための線状切断部とを具備してなり;該線状切断部が使用時に該低温カテーテルに係留されていることを特徴とする。
【００１３】
この低温カテーテルは、好ましくはポイントカテーテルであって、前記線状切断部から作動的に分離されていることが好ましい。この線状切断部は線状カテーテルの一部であることが好ましい。この線状切断部は、高周波エネルギー、低温冷却、マイクロ波エネルギー、超音波、レーザーエネルギー、又は組織の電気的不活性化を生起させることのできる他の媒体を放出させる部分を有する。
【００１４】
この線状切断部は係留部材により低温カテーテルに適宜、係留されるようになっている。
【００１５】
この係留部材は好ましくは、線状切断部の先端に連結され、適宜、ワイヤーループからなるものとすることができる。このワイヤーループは線状カテーテルの線状切断部の一部を、既に安定的に位置決めされたポイントカテーテルなどの構造体に係止させるのに使用される。
【００１６】
このワイヤーループは、１又はそれ以上のループ制御ワイヤーを用いた遠隔制御により調整自在とし、その直径の増減を可能とすることが好ましい。それにより、ワイヤーループを低温カテーテルに安定的に係留させたり（ループを締付けることにより）、低温カテーテルとの関連でワイヤーループを移動させたり（ループを弛めることにより）することができる。ワイヤーループが固くロックされるのを防止するため、ワイヤーループについての可能な最小径を設定する直径レストリクター（制限部材）を設けてもよい。
【００１７】
この線状カテーテルは低温切断ヘッドを有するものでもよく、その場合は低温流体回路を利用することができる。その他のタイプの切断ヘッド、例えば、高周波エネルギー、マイクロ波エネルギー、レーザーエネルギー又は極熱を利用するものも使用することができる。
【００１８】
本発明は更に、組織を切断する方法を提供するものであり、その方法は、線状切断カテーテルを前記低温カテーテルに係止させる過程と；低温カテーテルをアイスボールの形成を介して前記組織に低温カテーテルを安定に位置決めする過程と；前記線状切断カテーテルの残りの部分を位置決めして前記組織上に線状切断部位を形成する過程と；該組織を切断して前記線状切断部位に沿った線状切断を形成する過程とを具備してなる。
【００１９】
この方法は、特に例えば左心房などの心腔の内面組織に適用可能である。本発明の係留部材は、どのような形状のものでもよく、例えばワイヤーループ又はピボット部材からなるものでもよい。
【図面の簡単な説明】
【００２０】
【図１】本発明の第１の実施例に係わる線状切断カテーテルの先端部を示す縦断面図。
【図２】本発明の第２の実施例に係わる線状切断カテーテルの先端部を示す縦断面図であって、ワイヤーループが延出している状態を示す図。
【図３】本発明の第２の実施例に係わる線状切断カテーテルの先端部を示す縦断面図であって、ワイヤーループが後退している状態を示す図。
【図４】本発明に従って、心臓の左心房内に２つのカテーテルを導入させた状態を示す模式図。
【図５】図２に類似する図であって、この場合、線状カテーテルが組織に対して安定的に位置決めされている状態を示している。
【図６】本発明で使用されるポイントカテーテルの先端形状の他の例を示す図。
【図７】本発明で使用されるポイントカテーテルの先端形状の更に他の例を示す斜視図。
【図８Ａ】本発明の他の実施例に従って装置の配置を行う際の３段階の過程を示す模式図。
【図８Ｂ】本発明の他の実施例に従って装置の配置を行う際の３段階の過程を示す模式図。
【図８Ｃ】本発明の他の実施例に従って装置の配置を行う際の３段階の過程を示す模式図。
【発明を実施するための形態】
【００２１】
以下、添付図面を参照して実施例により更に説明するが、本発明は、以下の実施例に限定されるものではない。
【００２２】
図１は本発明の一つの形態である低温外科用線状カテーテル１０の模式図である。ワイヤーループを備えた低温カテーテルは単に説明を目的としたものであり、実際には、他のタイプの線状カテーテルを、以下に説明するように他のタイプの係留部材と共に使用することができる。図１には、このカテーテルの先端部分のみが示されている。このカテーテルは熱伝達領域１４を有する可撓性部材１２と、この可撓性部材を介して前記熱伝達領域に至る流路（図示しない）とを有する。この流路は前記熱伝達領域と、カテーテルの外部に至る点（例えば基端（図示しない））との間に設けられる。この熱伝達領域はカテーテルの線状切断部であり、これが組織と接触したとき、その組織の切断を生じさせるものである。この熱伝達領域は通常は、カテーテルの全長に亘って延出しておらず、好ましくは、カテーテルの一部、すなわち、その先端又はその近傍に限定される。例えば、図５には熱伝達領域１４が陰影で描かれた線状カテーテルが示されている。
【００２３】
前記流路は低温流体（例えば、亜酸化窒素、液体酸素）を、カテーテルに通じる外域点から前記熱伝達領域へ導入させると共に、回路を介してこの低温流体を外域点へ戻すことを可能にしている。この流体は、使用時において、組織から熱を吸収し、該組織を冷却するものである。
【００２４】
本発明の具体例において、カテーテルの熱伝達領域１４は変形自在となっている。この変形の１つのタイプは、直線的形状から円弧状形状への変形であり、これは当業者に公知の機械的及び/又は電気的装置を用いて達成することができる。例えば、可撓性部材１２の壁部に金属ブレード（袋編）を施し、カテーテルを回転（捩じり）自在にして総体的なカテーテルのステアリング（舵取り）および配置を行うようにすることができる。それに加えて、又はそれに代って、コード、ワイヤー、ケーブルなどをカテーテルに組込み、又はカテーテル内に挿入させ、熱伝達領域１４の変形を行うようにしてもよい。
【００２５】
支持シース１６が可撓性部材１２を覆うようにして設けられ、これは可撓性部材１２から後退させることも可能となっている。好ましい実施例において、可撓性部材１２は後退可能となっていて、必要に応じて、可撓性部材１２が支持シース１６により完全に覆われるようになっている。これは、カテーテルを患者の体内に挿入したり、体内から除去するのを助けたりするものである。
【００２６】
線状カテーテルは好ましくは、係留部材を有し、これを線状カテーテルの或る部分を構造体に係止させるのに使用される。このような係止は、組織切断を行う間において、線状カテーテルの安定的な位置決めを行うのに役立つ。この係留部材は、例えば、線状カテーテルの一部を他のカテーテル（例えば、ポイントカテーテル）に取着させるのに使用させる部材であってもよい。この係留部材の好ましい構造は、ワイヤーループであり、これを用いてポイントカテーテルを捕捉させ、線状カテーテルの一部をポイントカテーテルとの関連で安定的に配置させる。この構造については以下に説明する。
【００２７】
図１を参照すると、案内路１８が線状カテーテルの中心部に沿って長手方向に設けられており、この案内路に内部に、先端にワイヤーループ２２を有するループ制御ワイヤー２０が設けられている。このワイヤーループ２２は好ましくは、輪縄の形状のものであり、これが適当な構造物の周りに位置決めされたとき、制御ワイヤー２０上で引っ張られることによりワイヤーループ２２が締付けられるようになっている。この締付けは好ましくは、弾性的になされ、制御ワイヤー２０上でのこの締付けが解除されたとき、ワイヤーループ２２が再度、拡口されるようにする。このようにして、ワイヤーループ２２の直径は遠隔制御により設定することができる。図１には示されていないが、ループ径レストリクター（制限部材）を利用し、ループ径が或る所定値より小さくなるのを防止するようにしてもよい。このループ径レストリクターは、ループ２２のワイヤー上に設けた物理的障害物であってもよい。
【００２８】
図２および３は他の実施例を示しており、この場合、ループ２２は一対の制御ワイヤー２６、２８を有する。ワイヤーを可撓性部材１２内に後退させるように引張り応力を適用することによりワイヤーループ２２のサイズを縮小させることができる。制御ワイヤー２６、２８の一方又は双方を可撓性部材１２に沿って押込むことによりワイヤーループを再び拡口させることができる。制御ワイヤー２６、２８の一方は、カテーテル１０の先端にワイヤーループ２２を取着させた場合には、省くことができる。例えば、制御ワイヤー２６の代わりにカテーテルの先端にループ２２を取着させることができ、制御ワイヤー２８のみを使用してループ径を設定することができる。
【００２９】
可撓性部材１２は特許文献４に開示されている任意の形状のものとすることができ、低温冷却路も特許文献４に開示されている任意の構成とすることができる。案内路１８に適応させるために若干の変更が必要となることがあるが、これは当業者にとって自明であろう。
【００３０】
本発明は、切断を行う他の手段、例えば高周波（ＲＦ）エネルギーを使用する線状カテーテルを包含することを意図している。高周波エネルギー線状カテーテルを使用する場合は、例えば、図１ないし３に示した熱伝達領域１４を、高周波エネルギーを伝達させる線状切断部により置き換える。この高周波エネルギーは組織に切断を形成するのに使用される。マイクロ波エネルギー、超音波、レーザー、又は組織の電気的不活性化又は“切断”を生起させることのできる他の媒体などの他の技法を用いた線状カテーテルも使用することができる。このような実施例において、線状カテーテルの線状切断部は従前と同様である。
【００３１】
ここに開示した係留部材の任意のものを、これらの線状カテーテルに任意のものと共に使用することができる。例えば、図１ないし３に示したワイヤーループ形状を、低温線状カテーテルと同様に高周波線状カテーテルに等しく適用することができる。
【００３２】
カテーテル１０の中心部を通過させる代わりに、案内路１８をカテーテル１０の１側に沿って経由させることができる。低温線状カテーテルを使用する場合、これにより特許文献４に開示されている低温流路を変更させる必要性をなくすことができる。
【００３３】
ワイヤーループ２２をカテーテル１０の先端から延出させた図１ないし３に示した形状は、単に好ましい形状を示しているに過ぎない。すなわち、カテーテルがより安定的に配置されるようにした任意の形状の係留部材をも包含するものである。例えば、ワイヤーループ２２をカテーテル１０の先端近傍の１側壁から延出させたり、あるいはワイヤーループ２２をカテーテル１０の先端から或る距離を以ってへだてた点から延出させたりすることもできる。しかし、係留部材２２を線状カテーテルの先端と関連させることが好ましい。これは、カテーテルを位置決めする場合に、外科医による必要な操作を単純化させるものとなる。
【００３４】
図１に示したカテーテルの好ましい使用方法を図４および図５を参照して説明する。これらの図は、左心房５０、右心房５２および左心室５４を有する心臓を示している。この方法において、左心房と右心房とを分離する隔膜５６が刺通され、図１に示すカテーテル１０および従来のポイントカテーテル３０が、この経隔膜刺通部６０を介して共通して導入される。ポイントカテーテル３０は尖端形状の熱伝達領域２４を有する。このポイントカテーテルは、線状カテーテルのワイヤーループ２２を介して外科医により操作され、ポイントカテーテルが活性化され、それを左心房壁部の或る一点にて凍結される。この凍結プロセスにおいて、アイスボール５８が形成される。このカテーテル／組織界面でのアイスボール５８は安定な係留点を提供するよう作用する。この時点の形状が図４に示されている。組織との関連で安定に位置決めすることができるものであれば、任意の従来のポイントカテーテルを使用することができる。例えば、文献１１の図７ないし１０に示されている安定化機構を備えたポイントカテーテルを使用することができる。
【００３５】
ついで、ループ制御ワイヤー２０に引張り応力を適用することによりワイヤーループ２２の締付けが行われ、線状カテーテル１０をポイントカテーテル３０に対し安定的に係止させるようにする。ついで、線状カテーテル１０をその支持シース１６から前進させ、このカテーテルを左心房に対し屈曲され、このカテーテルと、心房との間の良好な接触が確保される。組織は可なり変形可能となっており、カテーテルの押圧作用により不規則な組織形状が円弧形状に変形されることになり、カテーテルの活性長さに沿っての良好な接触が可能となる。この状態が図５に示されている。
【００３６】
低温流体は、ついでカテーテルの流路を介して流され、線状カテーテル１０の熱伝動領域１４を急速に冷却させる。これにより隣接する組織が冷却され、組織が切断され、線状切断領域に沿って連続的な線状損傷が形成される。この線状切断は電気信号をブロックするのに役立ち、不整脈を防止する。他の切断療法が使用される場合（例えば、高周波エネルギー、マイクロ波エネルギーなど）、低温流体は使用されず、その代わりに各切断療法により必要な処置が実行される（例えば、高周波切断の場合、線状高周波ヘッドを活性化させる）。
【００３７】
いったん、線状切断が完了すると、低温流体の流れは停止され、線状カテーテル１０をそのシース１６内に若干後退させ、組織壁面との接触から取り除かれる。ついで、この線状カテーテルは、同じ係留点の周りに再配置され（例えば、それを回転させることにより）、更なる線状切断が形成される。このようにして、係留点から出発する一連の半径方向の線状切断が形成される。重複した切断が必要なときは、ポイントカテーテル３０を再配置させ、異なる係留点を有する更なる一連の切断が形成される。
【００３８】
ポイントカテーテル３０には後退可能なシース３２が備えられている。好ましくは、この後退可能なシース３２の外径はワイヤーループ２２の最小径よりも大きいものとする。これによりワイヤーループ２２を締付けたときに、ワイヤーループ２２がシース３２を通ってポイントカテーテル３０から滑り落ちることのないようにすることが確保される。更に、これにより、ポイントカテーテル３０をシース３２内に若干戻させ、ワイヤーループ２２をアイスボール５８に対し所定位置に保持させることができる。それにより、線状カテーテル１０の先端の非常に安定な係留がもたらされる。
【００３９】
ポイントカテーテルは、有用的に可撓性に乏しいものとすることができ、例えばその先端部５ないし７ｃｍに亘って実質的に硬質のものとする。これは安定な位置決めを達成するのを助け、線状切断カテーテルのための安定な係留点を与えるのを助ける。
【００４０】
上述の方法において、隔膜５６を刺通し、カテーテルのアクセスを可能にしている。しかし、カテーテルの有用なアクセスは如何なるものであってもよく、例えば、左心房にアクセスするため、カテーテルを大動脈弁および僧帽弁を横切って逆行させる大動脈を介しての逆行アクセスも含まれる。
【００４１】
図６には、ポイントカテーテル３０の先端形状の他の例を示している。この形状の場合、ポイントカテーテル３０は、従来の尖端を有するものではなく、ホッケー用スティックの端部のような湾曲先端部２４を有する。この形状は心房壁部の内部組織に対し、より大きい表面積を提供するものであり、より良好な低温係留を可能にする。
【００４２】
好ましくは、湾曲先端部２４は十分な可撓性を有し、直線的になることができ、それによりシース３２内に完全に後退することができるようにする。
【００４３】
図７はポイントカテーテルのための他の先端形状を示している。図７に示すように、ポイントカテーテル３０の先端部２４近傍に窪み部分３４が形成されている。この窪み部分は、線状カテーテル１０をポイントカテーテル３０に対しより良好に取着させることを可能にする。例えば、ワイヤーループ２２は、使用時において、先端部２４上に配置され、ワイヤーループ２２がこの窪み部分３４の部位にくるまで、ポイントカテーテル３０上を滑り降ろされる。ついで、ワイヤーループ２２が窪み部分３４の縮径部の周りに締付けられる。この形状のものは、ワイヤーループがその後においてポイントカテーテル３０に沿って長手方向に非常に大きく摺動することが最早なくなることを意味するものである。
【００４４】
好ましい実施例において、窪み部分３４が先端部２４近傍に位置し、それにより、アイスボール５８が形成されたとき、線状カテーテルと、ポイントカテーテルとの間の接続部がこのアイスボール内に包まれるようになっている。
【００４５】
この窪み構造を、ここに開示されたポイントカテーテルの全ての実施例に適用することができる。特に、窪み部分３４を図６に示すホッケー用スティック型カテーテルと組合わせて使用することができる。
【００４６】
図８Ａ、８Ｂおよび８Ｃは本発明の更なる実施例を示している。この実施例において、ポイントカテーテル３０および線状カテーテル１０は一緒になって共通シース７２内に設けられている。ガイドブラケット７０がポイントカテーテル３０に取着されていて、線状カテーテル１０を案内するよう作用し、線状カテーテル１０が、ガイドブラケット７０の位置においてポイントカテーテル３０に沿って長手方向に移動できるようにしている。この線状カテーテル１０は、その先端部が係留部材７４によりポイントカテーテル３０に恒久的に取着されている。係留部材７４はここでは、枢支点となっているが、実際には任意の構成の係留部材（例えば、上述のようなワイヤーループ）を使用することができる。線状切断部１４もこれら図８Ａ、８Ｂおよび８Ｃに示されている。
【００４７】
この実施例の使用に際して、構造全体がシース７２から導出され、ポイントカテーテル３０の先端２４が、心腔５０の壁部を形成する組織の領域に接近することになる。ついで、ポイントカテーテルが活性化され、アイスボール５８を形成させ、これによりポイントカテーテル３０を心腔５０内に安定的に配置させる。ついで、線状カテーテル１０がシース７２に沿って前進され、ブラケット７０により案内され、図８Ｂに示すようにポイントカテーテル３０から離れて屈曲することになる。線状カテーテル１０を継続して供給することにより、線状切断部１４が心腔５０の壁部に対し屈曲し、連続した接触ラインが形成されることになる。ついで、線状カテーテルが活性化され、心腔壁部上に線状切断が形成される。多重切断は、図４および５を参照して説明した様式で行われる。
【００４８】
いったん、必要な切断が形成されると、線状カテーテル１０をシース７２から引き戻すことができ、図８Ａに示すような位置に戻される。ついで、装置全体をシース７２内に戻すことができ、体内から取り除かれる。
【００４９】
本発明の装置および方法は、心房細動のような心臓不整脈の修正のための従来技術に対する改善を提供するものである。本発明によれば、外科医にとって、不整脈を駆動させる渦巻き回路が心房壁部内に自由に回転するのを防止する電気的ブロックのラインを形成させるために、心房壁部上に線状損傷組織の長いラインを形成することが容易になる。本発明によれば、線状切断カテーテルの長手方向に沿って良好な接触を形成することが可能となり、不規則で滑りやすい心房壁部の悪影響を減少させることができる。
【符号の説明】
【００５０】
１０    線状カテーテル
１２    可撓性部材
１４    熱伝達領域
１６    支持シース
１８    案内路
２０    ループ制御ワイヤー
２２    ワイヤーループ
２４    熱伝達領域
３０    ポイントカテーテル
３２    シース
３４    窪み部分
５０    左心房
５２    右心房
５４    左心室
５６    隔膜
５８    アイスボール
７０    ガイドブラケット
７２    共通シース
７４    係留部材
【図１】
2011206569.tif 000003
【図２】
2011206569.tif 000004
【図３】
2011206569.tif 000005
【図４】
2011206569.tif 000006
【図５】
2011206569.tif 000007
【図６】
2011206569.tif 000008
【図７】
2011206569.tif 000009
【図８Ａ】
2011206569.tif 000010
【図８Ｂ】
2011206569.tif 000011
【図８Ｃ】
2011206569.tif 000012